(57)【要約】【課題】肘掛基板を、安定して、円滑に前後移動させることができるとともに、少ない部品点数で、簡単に組み付けることができるようにした椅子の肘掛装置を提供する。【解決手段】肘掛支持杆１４の上端に、肘掛基板３１を載置し、この肘掛基板３１に設けた前後方向を向く長孔３５に、肘掛支持杆１４の上端に設けた支持ブロック４６における嵌合部４８を嵌合し、支持ブロック４６における拡幅部４９と肘掛支持杆１４の上面とにより、肘掛基板３１を上下から挟み、長孔３５の側縁と平行をなすように肘掛基板３１上に設けた突片４０の側面に、複数の凹部４１を前後方向に並べて設け、支持ブロック４６における拡幅部４９の側面に設けた弾性舌片６１の先端部を、突片４０における凹部４１のある側面に圧接させる。【選択図】      図９
2008194125.tif 000002
【特許請求の範囲】
【請求項１】
座の側方より起立するように支持された肘掛支持杆の上端に、上面を肘掛けパッドにより覆った肘掛基板を載置し、この肘掛基板に設けた前後方向を向く長孔に、前記肘掛支持杆の上端に設けた支持ブロックにおける前記長孔の左右幅と同幅の嵌合部を嵌合し、かつ前記支持ブロックにおける嵌合部の上端に設けた拡幅部と肘掛支持杆の上面とにより、前記肘掛基板を上下から挟むことにより、肘掛基板を前後方向に摺動可能として肘掛支持杆に装着し、かつ前記長孔の側縁と平行をなすようにして肘掛基板上に設けた突片の側面に、複数の凹部を前後方向に並べて設け、前記支持ブロックにおける拡幅部の側面に設けた弾性舌片の先端部を、前記突片における凹部のある側面に圧接させることにより、前記肘掛基板の前後移動に節度感を付与するようにしたことを特徴とする椅子の肘掛装置。
【請求項２】
肘掛基板における長孔の両側方に、１対の突片を左右対称に設けるとともに、支持ブロックにおける拡幅部の両側面に、前記各突片の側面に圧接する１対の弾性舌片を、左右対称に設けた請求項１記載の椅子の肘掛装置。
【請求項３】
支持ブロックを、肘掛支持杆の上面と直交する軸線回りに回動可能とすることにより、肘掛基板を、肘掛支持杆に対して、前後方向に摺動可能、かつ左右方向に回動可能とした請求項１または２記載の椅子の肘掛装置。
【請求項４】
肘掛支持杆の上面と肘掛基板の下面との間に、肘掛基板を前方に移動したとき、前記肘掛基板の長孔が下方に露呈するのを阻止する遮蔽板を設けた請求項１〜３のいずれかに記載の椅子の肘掛装置。
【発明の詳細な説明】
【技術分野】
【０００１】
本発明は、肘掛けを前後方向に移動可能とした椅子の肘掛装置に関する。
【背景技術】
【０００２】
高級仕様の事務用椅子には、座板の高さ調整機構や、背板のリクライニング機構を備えるほか、肘掛けを前後方向に移動可能とした肘掛装置を設けたものがある。
【０００３】
この種の肘掛装置の従来例として、例えば下記特許文献１または２に記載されているようなものがある。
【０００４】
これらのものは、いずれも、肘掛基板に前後方向を向く長孔を設けるとともに、この長孔の両側縁に、複数の凹部を前後方向に並べて設け、肘掛けを支持する肘掛支持杆の上端に設けた支持体に、長孔の両側縁に圧接するようにした弾性体を設け、肘掛基板が、肘掛支持杆に対して、前後方向に移動しうるとともに、弾性体が各凹部と弾性係合することにより、肘掛基板の前後移動に節度感を付与するようにしている。
【特許文献１】特開２００５−２１１２４５号公報
【特許文献２】特開２００２−５１８７１号公報
【発明の開示】
【発明が解決しようとする課題】
【０００５】
しかし、特許文献１および２のいずれのものにおいても、肘掛基板の前後動を案内する長孔の側面に複数の凹部を設け、長孔内に、節度感を付与する手段を設けているため、肘掛基板の前後移動が不円滑となる。
【０００６】
また、特許文献１に記載されているものは、支持体に設けた弾性体の両側面に、上下方向を向く１対の係合ピンを配設し、それらを長孔の両側縁に圧接させるようにしているので、部品点数が多くなるとともに、組付作業が煩雑となる。
【０００７】
特許文献２に記載されているものは、弾性体を、左右１対の弓形の部材により形成し、それらを、肘当てブラケットに保持させているが、弓形の部材の剛性および耐久性を維持するのに、材質の選定や形状の特定に考慮を払う必要がある。
【０００８】
本発明は、従来の技術が有する上記のような問題点に鑑み、肘掛基板を、安定して、円滑に前後移動させることができるとともに、少ない部品点数で、簡単に組み付けることができるようにした椅子の肘掛装置を提供することを目的としている。
【課題を解決するための手段】
【０００９】
本発明によると、上記課題は次のようにして解決される。
（１）座の側方より起立するように支持された肘掛支持杆の上端に、上面を肘掛けパッドにより覆った肘掛基板を載置し、この肘掛基板に設けた前後方向を向く長孔に、前記肘掛支持杆の上端に設けた支持ブロックにおける前記長孔の左右幅と同幅の嵌合部を嵌合し、かつ前記支持ブロックにおける嵌合部の上端に設けた拡幅部と肘掛支持杆の上面とにより、前記肘掛基板を上下から挟むことにより、肘掛基板を前後方向に摺動可能として肘掛支持杆に装着し、かつ前記長孔の側縁と平行をなすようにして肘掛基板上に設けた突片の側面に、複数の凹部を前後方向に並べて設け、前記支持ブロックにおける拡幅部の側面に設けた弾性舌片の先端部を、前記突片における凹部のある側面に圧接させることにより、前記肘掛基板の前後移動に節度感を付与するようにする。
【００１０】
（２）上記(１)項において、肘掛基板における長孔の両側方に、１対の突片を左右対称に設けるとともに、支持ブロックにおける拡幅部の両側面に、前記各突片の側面に圧接する１対の弾性舌片を、左右対称に設ける。
【００１１】
（３）上記(１)または(２)項において、支持ブロックを、肘掛支持杆の上面と直交する軸線回りに回動可能とすることにより、肘掛基板を、肘掛支持杆に対して、前後方向に摺動可能、かつ左右方向に回動可能とする。
【００１２】
（４）上記(１)〜(３)項のいずれかにおいて、肘掛支持杆の上面と肘掛基板の下面との間に、肘掛基板を前方に移動したとき、前記肘掛基板の長孔が下方に露呈するのを阻止する遮蔽板を設ける。
【発明の効果】
【００１３】
本発明によると、次のような効果を奏することができる。
請求項１記載の発明によると、肘掛基板に設けた長孔と支持ブロックにおける嵌合部とからなる肘掛基板の前後動案内手段と、側面に複数の凹部を前後方向に並べて設けた突片と支持ブロックにおける拡幅部の側面に設けた弾性舌片とからなる節度感付与手段とを、互いに切り離して設けてあるので、肘掛基板を、安定して、円滑に前後移動させることができ、しかも、突片は肘掛基板と、また弾性舌片は支持ブロックと、それぞれ一体的に形成することができるので、部品点数を削減し、かつ簡単に組み付けることができる。
【００１４】
請求項２記載の発明によると、突片と弾性舌片とを、肘掛基板における長孔を挟んで左右対称をなすように、それぞれ１対設けてあるので、肘掛基板を、左右のバランスよく、安定して、円滑に前後移動させることができる。
【００１５】
請求項３記載の発明によると、肘掛基板を、バランスよく、安定して、円滑に左右方向に回動させることができる。
【００１６】
請求項４記載の発明によると、肘掛基板を前方に移動したとき、肘掛基板の長孔の前部が、遮蔽板により閉塞されるので、長孔に手の指等が挟まれることがなく、また、長孔が外部に露呈することがないので、体裁がよい。
【発明を実施するための最良の形態】
【００１７】
以下、本発明の一実施形態を、図面に基づいて説明する。
図１は、本発明の肘掛装置の一実施形態を備える椅子の斜視図、図２は、同じく側面図である。
この椅子は、先端部にキャスタ１が設けられた放射状の５本の脚杆２の中心部より立設された脚柱３と、この脚柱３の上端に設けられた支基４と、この支基４の上方に、支持リンク５を介して支持された座６と、支基４に左右方向を向く軸７をもって枢着され、後傾可能とされている背凭れ８と、座６の両側方(片方のみとすることもある)より起立する肘掛装置９とを備えている。
【００１８】
図３〜図８は、肘掛装置９の詳細を示す。
肘掛装置９は、下端部内面に設けたブラケット１０を、座６の側部下面に固着することにより、座６の側方より若干前傾姿勢で起立するようにした肘掛支持筒１１と、この肘掛支持筒１１の内面に当接するようにして嵌合された中間筒１２と、肘掛け１３を支持するとともに、中間筒１２内に上下方向に摺動可能として嵌合された筒状の肘掛支持杆１４と、肘掛支持筒１１に対する肘掛支持杆１４の高さを調節する高さ調節装置１５とを備えている。
【００１９】
肘掛支持筒１１と中間筒１２と肘掛支持杆１４とは、前後方向を向く長軸を、左右方向を向く短軸よりわずかに長くした楕円形断面のものとしてあるが、断面円弧状その他の形状としてもよい。
【００２０】
中間筒１２は、左右に２分割した半割片１２Ａ、１２Ｂを向き合わせて接合することにより形成されている。両半割片１２Ａ、１２Ｂの対向面の４隅部には、両者を正規の位置関係で対向させたとき、互いに嵌合するようにした位置決め用の凹部１６と凸部１７とが設けられている。
【００２１】
両半割片１２Ａ、１２Ｂの対向部の下端前後部には、下端に前後方向の外向きの鈎爪１８ａを有する弾性係止爪１８が垂下して設けられ、両半割片１２Ａ、１２Ｂを対向させて接合したとき、左右に対向する弾性係止爪１８、１８同士が互いに接合し、この接合した２個の弾性係止爪１８、１８を、肘掛支持筒１１の下端を閉塞する底壁１１ａに設けた係合孔１９(図７および図８参照)に嵌合係止することにより、中間筒１２は、両半割片１２Ａ、１２Ｂが位置ずれすることなく、肘掛支持筒１１より抜け止めされている。
【００２２】
高さ調節装置１５は、肘掛支持杆１４の上部前面に設けられた切欠き２０を通って前下方に突出する操作部２１ａを有するとともに、後端部に、下向きＵ字状の係合凹部２１ｂを有し、かつ中間部が左右方向を向く突軸２１ｃをもって、肘掛支持杆１４の上部に枢着された操作レバー２１と、側面形が上下方向に長いほぼ菱形をなし、中間部を中心に回動可能として、肘掛支持杆１４内に嵌合され、上端部に、操作レバー２１の係合凹部２１ｂに受け入れられて係合する、左右方向を向く軸部２２ａが設けられ、かつ下端部に、肘掛支持杆１４のやや下部の両側壁に設けられた前後方向を向く長孔２３を通って、肘掛支持杆１４を左右方向に貫通する係合ピン２４の中間部が貫通する左右方向を向くピン挿入孔２２ｂが設けられた回動レバー２２と、中間筒１２の各半割片１２Ａ、１２Ｂにそれぞれ設けられ、かつ肘掛支持杆１４の両側方に突出する係合ピン２４の各端部が嵌合するようにした係合孔２５とを備えている。
【００２３】
操作レバー２１は、その中間部両側面に設けた突軸２１ｃを、肘掛支持杆１４の上端の開口縁に設けた上方に開口する左右１対の凹部２６に上方より嵌合し、かつ操作レバー２１の中間部の上面に、肘掛支持杆１４の上端開口部を閉塞する閉塞部材２７の下面を当接させることにより、突軸２１ｃを、凹部２６より抜け止めして、肘掛支持杆１４の上部に簡単に装着しうるようにしてある。
【００２４】
閉塞部材２７は円板状をなし、複数の止めねじ２８をもって肘掛支持杆１４の上端に固着されることにより、肘掛支持杆１４の一部をなしている。この閉塞部材２７の上面中央には、円形軸部２９ａの上端に角軸とした非円形軸部２９ｂが連設された上向きの軸２９が突設されている。
【００２５】
回動レバー２２の上下方向の中間部には、肘掛支持杆１４の前後の内面に内接するとともに、菱形の前後の頂部に相当する部分において、曲率中心が同一の円弧状をなして前後に突出する膨出部２２ｃが設けられ、回動レバー２２は、特別に枢軸を設けることなく、この膨出部２２ｃの曲率中心を中心として、肘掛支持杆１４内において回動しうるようになっている。
【００２６】
各半割片１２Ａ、１２Ｂに設けられた係合孔２５は、中間筒１２の軸線方向を向く長孔状の連絡孔２５ａと、その前縁に、前方を向く凹溝状をなして上下多段状に設けられた複数の凹入係合部２５ｂとからなり、肘掛支持杆１４より両側方に突出する係合ピン２４の各端部が、前記連絡孔２５ａに嵌合しているときは、係合ピン２４およびは肘掛支持杆１４は、中間筒１２および肘掛支持筒１１に対して、上下方向に自由に移動することができ、係合ピン２４が、いずれかの凹入係合部２５ｂに係合しているときは、係合ピン２４および肘掛支持杆１４の上下方向の移動は、阻止されるようになっている。
【００２７】
回動レバー２２の下端部には、後上方を向く弾性舌片３０が一体的に形成されており、この弾性舌片３０の先端部が、肘掛支持杆１４の後部内面に圧接することにより、回動レバー２２は、図８に実線で示すように、係合ピン２４が係合孔２５におけるいずれかの凹入係合部２５ｂに係合する係止位置に向けて常時付勢されている。
すなわち、この弾性舌片３０は、回動レバー２２を、係合ピン２４がいずれかの凹入係合部２５ｂに係合する方向に向けて付勢する付勢手段をなしている。
【００２８】
したがって、図８に実線で示すように、常時は、この付勢手段の作用により、係合ピン２４は、いずれかの凹入係合部２５ｂに係合し、肘掛け１３は、その凹入係合部２５ｂと対応する高さに保持され、操作レバー２１は、その操作部２１ａが切欠き２０より前下方に突出する非操作位置に位置している。
【００２９】
この状態から、肘掛け１３の高さを変更したい場合には、まず、操作レバー２１の操作部２１ａを、この弾性舌片３０の付勢力に抗して、非操作位置から、図８に想像線で示すように、上方の操作位置に向かって上向きに回動させる。
すると、操作レバー２１の後部の係合凹部２１ｂが、前方に回動し、それに伴って、係合凹部２１ｂと上端の軸部２２ａが係合している回動レバー２２は、図８に想像線で示すように、反時計回りに回動させられ、係合ピン２４は、係合孔２５の凹入係合部２５ｂから離脱して、連絡孔２５ａ内に嵌合する係止解除位置へ移動させられる。
【００３０】
ついで、操作レバー２１の操作部２１ａを操作位置に保持したままの状態で、肘掛け１３および肘掛支持杆１４を、所望の高さまで上昇または下降させる。
このとき、係合ピン２４は、連絡孔２５ａ内に位置しているので、その連絡孔２５ａ内を自由に上下動することができる。
【００３１】
肘掛け１３を所望の高さとした後、操作レバー２１の操作部２１ａから手を離すか、または操作力を緩めると、弾性舌片３０の付勢力により、回動レバー２２は、元の係止位置に向かって付勢させられ、係合ピン２４は、そのときの最も近い凹入係合部２５ｂに係合させられる。なお、係合ピン２４が、いずれかの凹入係合部２５ｂに適正に係合しないときは、肘掛け１３を上下いずれかに若干移動させればよい。
【００３２】
係合ピン２４がいずれかの凹入係合部２５ｂに適正に係合し、回動レバー２２が係止位置に復帰させられると、それに伴って、操作レバー２１も非操作位置に復帰させられる。
【００３３】
また、この肘掛装置９の組立てに際しては、肘掛支持杆１４に操作レバー２１を装着した後、操作レバー２１を位置決めしておき、かつ回動レバー２２を、肘掛支持杆１４の下端から上方に向けて差し込むだけで、操作レバー２１の後端部と回動レバー２２の上端部とが、係合凹部２１ｂを介して互いに係合するとともに、肘掛支持杆１４の長孔２３と回動レバー２２のピン挿入孔２２ｂとを整合させた状態で、簡単に組み立てることができる。このとき、操作レバー２１は、重心が突軸２１ｃより操作部２１ａ寄りに位置するように、操作部２１ａを重く形成しておくことにより、自重で非操作位置に位置決めされ、また、回動レバー２２は、弾性舌片３０を、肘掛支持杆１４の後部内面に圧接させることにより、係止位置に位置決めされるので、操作レバー２１および回動レバー２２のための特別な位置決め手段を設ける必要はない。
【００３４】
この状態で、互いに整合した肘掛支持杆１４の長孔２３と回動レバー２２のピン挿入孔２２ｂとに、係合ピン２４を貫通させた後、その左右両側方より、両半割片１２Ａ、１２Ｂを、互いに向き合わせて、かつ係合ピン２４の両端が予め定めた凹入係合部２５ｂに係合するようにして、肘掛支持杆１４を挟んで接合させ、それらを一体として、肘掛支持筒１１内に上方より挿入し、互いに接合された左右に対応する弾性係止爪１８、１８を、肘掛支持筒１１の底壁１１ａにおける係合孔１９に嵌合係止させることにより、ねじ等を全く使用することなく、肘掛支持筒１１、中間筒１２、肘掛支持杆１４、操作レバー２１、回動レバー２２等を、簡単かつ確実に組み立てることができる。
【００３５】
次に、図３、および図８〜図１４を参照して、肘掛け１３の構造について説明する。
この肘掛け１３は、硬質合成樹脂材料よりなる前後方向に長い水平板状の肘掛基板３１と、その上面を覆う軟質合成樹脂材料製の芯材３２、発泡ポリウレタン等からなるクッション材３３、およびエラストマーよりなる肘掛けパッド３４とを備えている。
【００３６】
肘掛基板３１の後部寄りの中央には、前後方向に長い長孔３５が設けられ、また上面周縁部には、芯材３２と肘掛けパッド３４との周縁を内外から挟む起立片３６と斜め上方に拡開する突縁３７とが設けられている。
起立片３６の外周面における複数箇所には、芯材３２の周縁適所に設けた内向きの爪３８が係合する係合孔３９が設けられている。
【００３７】
肘掛基板３１の上面における長孔３５の両側方には、長孔３５の側縁と平行をなす左右１対の突片４０、４０が上向き突設されている。両突片４０、４０は、外側面に、複数の凹部４１が前後方向に並べて形成されるように、平面視波形をなしている。
また、肘掛基板３１の上面には、前後方向および左右方向を向く多数のリブ４２が設けられている。
【００３８】
肘掛基板３１の下面には、長孔３５を囲むように、前後方向に長い長方形の浅い凹部４３が設けられ、ここには、肘掛基板３１を前方に移動したとき、長孔３５が下方に露呈するのを阻止する遮蔽板４４が、前後方向に摺動自在に嵌合されている。
この遮蔽板４４には、後述する支持ブロックの嵌合部が嵌合する、前後方向に長い長孔４５が設けられている。
【００３９】
肘掛け１３は、垂直軸回りに回動可能で、かつ前後方向に移動可能とするため、支持ブロック４６と固定円板(固定板)４７とを備えている。
支持ブロック４６は、肘掛基板３１の長孔３５の左右幅と同幅の嵌合部４８と、この嵌合部４８の上端に連設された、前後左右に拡幅する拡幅部４９とを備え、ほぼ中央に設けた軸孔５０を、閉塞部材２７に突設した軸２９の円形軸部２９ａに外嵌することにより、肘掛支持杆１４上に回動自在に枢着されている。
【００４０】
支持ブロック４６における拡幅部４９の上面に設けた円形の凹部５１に、固定円板４７を嵌合し、かつ固定円板４７の下面中央に設けた角孔５２を、軸２９の非円形軸部２９ｂに嵌合して、その上方より、固定ねじ５３をもって、固定円板４７を軸２９の上端に固着することにより、支持ブロック４６は、軸２９より抜け止めされている。
【００４１】
しかして、肘掛支持杆１４の上端に、肘掛基板３１を載置し、この肘掛基板３１における長孔３５と、その下方に装着された遮蔽板４４の長孔４５とに、支持ブロック４６における嵌合部４８を嵌合し、かつ支持ブロック４６における拡幅部４９と肘掛支持杆１４の上面とにより、肘掛基板を上下から挟むことにより、肘掛基板３１を、前後方向に摺動可能として、また支持ブロック４６とともに、軸２９を中心として回動可能として、肘掛支持杆１４に装着されている。
【００４２】
支持ブロック４６の上面における凹部５１の前方には、角孔５４と、この角孔５４の後部中央と凹部５１とを連通する狭幅の連通孔５５とが設けられ、角孔５４に嵌合したゴム等よりなる弾性体５６の付勢力により、連通孔５５に設けた上下方向を向く係合ピン５７を、固定円板４７の外周面に向かって押圧し、係合ピン５７を、固定円板４７の外周面の円周方向に並べて設けた複数の凹部５８に弾性係合させることにより、支持ブロック４６の回動に、適度の節度感を付与するようにしてある。
【００４３】
支持ブロック４６の上面における凹部５１の後方には、軸孔５０と同心の扇形の凹部５９が設けられており、ここに、固定円板４７の外周面に設けた凸部６０を嵌合させることにより、支持ブロックの回動範囲を規制するようにしてある。
【００４４】
支持ブロック４６の拡幅部４９の両側面上部には、下方を向く弾性舌片６１、６１の基端部が連設されており、各弾性舌片６１の先端部内面に設けた山形の突起６１ａを、肘掛基板３１の各突片４０における凹部４１がある外側面に圧接させることにより、各突起６１ａが凹部４１に弾性係合したとき、抵抗力が増大するようにした節度感を付与するようにしてある。
【００４５】
この実施形態においては、肘掛基板３１に設けた長孔３５と支持ブロック４６における嵌合部４８とからなる肘掛基板３１の前後動案内手段と、側面に複数の凹部４１を前後方向に並べて設けた突片４０と支持ブロック４６における拡幅部４９の側面に設けた弾性舌片６１とからなる節度感付与手段とを、互いに切り離して設けてあるので、肘掛基板３１を、安定して、円滑に前後移動させることができ、しかも、突片４０は肘掛基板３１と、また弾性舌片６１は支持ブロック４６と、それぞれ一体的に形成することができるので、部品点数を削減し、かつ簡単に組み付けることができる。
【００４６】
また、突片４０と弾性舌片６１とを、肘掛基板３１における長孔３５を挟んで左右対称をなすように、それぞれ１対設けてあるので、肘掛基板３１を、左右のバランスよく、安定して、円滑に前後移動させることができる。
【００４７】
さらに、支持ブロック４６を、肘掛支持杆１４の上面と直交する軸線回りに回動可能とすることにより、肘掛基板３１を、肘掛支持杆１４に対して、前後方向に摺動可能、かつ左右方向に回動可能としてあるので、肘掛基板３１を、円滑に前後移動させることができるだけでなく、安定よく、円滑に、左右方向に回動させることもできる。
【００４８】
しかも、肘掛支持杆１４の上面と肘掛基板３１の下面との間に、肘掛基板３１を前方に移動したとき、肘掛基板３１の長孔３５が下方に露呈するのを阻止する遮蔽板４４を設けてあるので、長孔３５に手の指等が挟まれることはなく、また、長孔３５が外部に露呈することはないので、体裁がよい。
【００４９】
本発明は、上記実施形態のみに限定されるものではなく、特許請求の範囲を逸脱することなく、幾多の変形した態様での実施が可能である。
例えば、突片４０の内側面に、複数の凹部４１を前後方向に並べて設け、弾性舌片６１の先端部が、内方よりその内側面に圧接するようにしてもよい。
【図面の簡単な説明】
【００５０】
【図１】本発明の肘掛装置の一実施形態を備える椅子の斜視図である。
【図２】同じく、側面図である。
【図３】肘掛装置の分解斜視図である。
【図４】肘掛装置における高さ調節装置の部分の拡大分解斜視図である。
【図５】図４図示の状態から、一部の部材を組み付けた状態を示す分解斜視図である。
【図６】同じく、組立完成状態を示す斜視図である。
【図７】完成した肘掛装置を斜め下方より見た斜視図である。
【図８】同じく、縦断側面図である。
【図９】肘掛けの上部を、斜め上方より見た分解斜視図である。
【図１０】肘掛けの上部を、斜め下方より見た分解斜視図である。
【図１１】肘掛けの上部の拡大縦断側面図である。
【図１２】図１１のXII−XII線に沿う横断平面図である。
【図１３】図１１のXIII−XIII線に沿う横断平面図である。
【図１４】芯材、クッション材、および肘掛けパッドを取り外して示す肘掛けの平面図である。
【符号の説明】
【００５１】
１  キャスタ
２  脚杆
３  脚柱
４  支基
５  支持リンク
６  座
７  軸
８  背凭れ
９  肘掛装置
１０  ブラケット
１１  肘掛支持筒
１１ａ底壁
１２  中間筒
１２Ａ、１２Ｂ  半割片
１３  肘掛け
１４  肘掛支持杆
１５  高さ調節装置
１６  凹部
１７  凸部
１８  弾性係止爪
１８ａ鈎爪
１９  係合孔
２０  切欠き
２１  操作レバー
２１ａ操作部
２１ｂ係合凹部
２１ｃ突軸
２２  回動レバー
２２ａ軸部
２２ｂピン挿入孔
２２ｃ膨出部
２３  長孔
２４  係合ピン
２５  係合孔
２５ａ連絡孔
２５ｂ凹入係合部
２６  凹部
２７  閉塞部材
２８  止めねじ
２９  軸
２９ａ円形軸部
２９ｂ非円形軸部
３０  弾性舌片(付勢手段)
３１  肘掛基板
３２  芯材
３３  クッション材
３４  肘掛パッド
３５  長孔
３６  起立片
３７  突縁
３８  爪
３９  係合孔
４０  突片
４１  凹部
４２  リブ
４３  凹部
４４  遮蔽板
４５  長孔
４６  支持ブロック
４７  固定円板(固定板)
４８  嵌合部
４９  拡幅部
５０  軸孔
５１  凹部
５２  角孔
５３  固定ねじ
５４  角孔
５５  連通孔
５６  弾性体
５７  係合ピン
５８、５９  凹部
６０  凸部
６１  弾性舌片
６１ａ突起
【図１】
2008194125.tif 000003
【図２】
2008194125.tif 000004
【図３】
2008194125.tif 000005
【図４】
2008194125.tif 000006
【図５】
2008194125.tif 000007
【図６】
2008194125.tif 000008
【図７】
2008194125.tif 000009
【図８】
2008194125.tif 000010
【図９】
2008194125.tif 000011
【図１０】
2008194125.tif 000012
【図１１】
2008194125.tif 000013
【図１２】
2008194125.tif 000014
【図１３】
2008194125.tif 000015
【図１４】
2008194125.tif 000016